(57)【要約】【課題】非接触識別タグを利用することにより、経済的で且つ携帯性を有し、データ通信装置の配設場所を問わず当該データ通信装置の管理領域内に存在する特定のシステム利用者へのデータ配信を行うのに好適な情報配信システム、このシステムにおける、情報処理端末、データ通信装置、非接触識別タグ、及び、これらの制御プログラムを提供する。【解決手段】情報配信システム１を、情報処理端末２と、データ通信装置３と、非接触識別タグ４と、を含んだ構成とし、情報処理端末２を、配信用情報設定部２０と、配信要求生成部２１と、を含んだ構成とし、データ通信装置３を、非接触識別タグ検出部３１と、配信用情報伝送処理部３３と、情報配信委託部３４と、を含んだ構成とし、非接触識別タグ４を、データ受信部４０と、データ送信部４１と、データ制御部４２と、配信用情報表示処理部４４と、電気泳動式表示装置４５と、電源生成部４６と、を含んだ構成とした。【選択図】      図１
2004246492.tif 000002
【特許請求の範囲】
【請求項１】
情報処理端末と所定の場所に配設されたデータ通信装置と非接触識別タグとを含む情報配信システムにおいて、
前記情報処理端末と前記データ通信装置とは所定の通信回線を介してそれぞれ互いにデータ通信可能に接続されており、
前記情報処理端末は、配信用情報を設定する配信用情報設定手段と、当該設定された配信用情報を前記データ通信装置を介して特定の前記非接触識別タグに配信するための配信要求と前記配信要求に対応した前記配信用情報とを所定の前記データ通信装置に伝送する第１の伝送手段と、を備え、
前記データ通信装置は、前記配信要求に応じて、前記データ通信装置の管理領域内にその配信要求先の前記非接触識別タグが存在するか否かを検出する非接触識別タグ検出手段と、前記第１の伝送手段によって伝送された前記配信用情報を取得する第１の配信用情報取得手段と、前記非接触識別タグ検出手段によって存在が検出された前記配信要求先の非接触識別タグに対して電力供給用の電磁波と前記第１の配信用情報取得手段によって取得した前記配信用情報とを伝送する第２の伝送手段と、を備え、
前記非接触識別タグは、前記データ通信装置から送信された前記配信用情報を取得する第２の配信用情報取得手段と、前記データ通信装置から送信される前記電力供給用の電磁波から駆動用の電力を生成する電力生成手段と、前記第２の配信用情報取得手段によって取得した前記配信用情報を表示する配信用情報表示手段と、を備えることを特徴とする情報配信システム。
【請求項２】
情報処理端末と所定の場所に配設された複数のデータ通信装置と非接触識別タグとを含む情報配信システムにおいて、
前記情報処理端末と前記データ通信装置とは所定の通信回線を介してそれぞれ互いにデータ通信可能に接続されており、
前記情報処理端末は、配信用情報を設定する配信用情報設定手段と、当該設定された配信用情報を前記データ通信装置を介して特定の前記非接触識別タグに配信するための配信要求と前記配信要求に対応した前記配信用情報とを所定の前記データ通信装置に伝送する第１の伝送手段と、を備え、
前記データ通信装置は、前記配信要求に応じて、前記データ装置の管理領域内にその配信要求先の前記非接触識別タグが存在するか否かを検出する非接触識別タグ検出手段と、前記第１の伝送手段によって伝送された前記配信用情報を取得する第１の配信用情報取得手段と、前記非接触識別タグ検出手段によって存在が検出された前記配信要求先の非接触識別タグに対して電力供給用の電磁波と前記第１の配信用情報取得手段によって取得した配信用情報とを伝送する第２の伝送手段と、前記非接触識別タグ検出手段によって前記配信要求先の非接触識別タグの存在が検出されなかったときに、他のデータ通信装置に対して前記取得した配信要求及び配信用情報を伝送する情報配信委託手段と、を備え、
前記非接触識別タグは、前記データ通信装置から送信された前記配信用情報を取得する第２の配信用情報取得手段と、前記データ通信装置から送信された前記電力供給用の電磁波から駆動用の電力を生成する電力生成手段と、前記第２の配信用情報取得手段によって取得した配信用情報を表示する配信用情報表示手段と、を備えることを特徴とする情報配信システム。
【請求項３】
前記情報配信委託手段は、前記非接触識別タグ検出手段によって前記要求先の非接触識別タグの存在が検出されなかったときに、他のデータ通信装置に対して前記取得した配信要求を伝送するようになっており、
前記第１の配信用情報取得手段は、前記非接触識別タグ検出手段によって前記配信要求先の非接触識別タグの存在が検出されたときに、前記情報処理端末から前記配信要求に対応した配信用情報を取得するようになっていることを特徴とする請求項２記載の情報配信システム。
【請求項４】
前記データ通信装置は、前記管理領域内に前記配信用情報の伝送対象となる前記非接触識別タグが存在するときに、当該非接触識別タグの所持者に対して前記配信用情報を送信した旨を通知する通知手段を備えることを特徴とする請求項１乃至請求項３のいずれか１項に記載の情報配信システム。
【請求項５】
請求項１乃至請求項４のいずれか１項に記載の情報配信システムにおける前記情報処理端末であって、
配信用情報を設定する配信用情報設定手段と、当該設定された配信用情報を前記データ通信装置を介して特定の前記非接触識別タグに配信するための配信要求と前記配信要求に対応した前記配信用情報とを所定の前記データ通信装置に伝送する第１の伝送手段と、を備えることを特徴とする情報処理端末。
【請求項６】
請求項１記載の情報配信システムにおける前記データ通信装置であって、
前記配信要求に応じて、前記データ通信装置の管理領域内にその配信要求先の前記非接触識別タグが存在するか否かを検出する非接触識別タグ検出手段と、前記第１の伝送手段によって伝送された前記配信用情報を取得する第１の配信用情報取得手段と、前記非接触識別タグ検出手段によって存在が検出された前記配信要求先の非接触識別タグに対して電力供給用の電磁波と前記第１の配信用情報取得手段によって取得した前記配信用情報とを伝送する第２の伝送手段と、を備えることを特徴とするデータ通信装置。
【請求項７】
請求項２記載の情報配信システムにおける前記データ通信装置であって、
前記配信要求に応じて、前記データ通信装置の管理領域内にその配信要求先の前記非接触識別タグが存在するか否かを検出する非接触識別タグ検出手段と、前記第１の伝送手段によって伝送された前記配信用情報を取得する第１の配信用情報取得手段と、前記非接触識別タグ検出手段によって存在が検出された前記配信要求先の非接触識別タグに対して電力供給用の電磁波と前記第１の配信用情報取得手段によって取得した配信用情報とを伝送する第２の伝送手段と、前記非接触識別タグ検出手段によって前記配信要求先の非接触識別タグの存在が検出されなかったときに、他のデータ通信装置に対して前記取得した配信要求及び配信用情報を伝送する情報配信委託手段と、を備えることを特徴とするデータ通信装置。
【請求項８】
前記情報配信委託手段は、前記非接触識別タグ検出手段によって前記配信要求先の非接触識別タグの存在が検出されなかったときに、他のデータ通信装置に対して前記取得した配信要求を伝送するようになっており、
前記第１の配信用情報取得手段は、前記非接触識別タグ検出手段によって前記配信要求先の非接触識別タグの存在が検出されたときに、前記情報処理端末から前記配信要求に対応した前記配信用情報を取得するようになっていることを特徴とする請求項７記載のデータ通信装置。
【請求項９】
前記管理領域内に前記配信用情報の伝送対象となる前記非接触識別タグが存在するときに、当該非接触識別タグの所持者に対して前記配信用情報を送信した旨を通知する通知手段を備えることを特徴とする請求項６乃至請求項８のいずれか１項に記載のデータ通信装置。
【請求項１０】
請求項１乃至請求項４のいずれか１項に記載の情報配信システムにおける前記非接触識別タグであって、
前記データ通信装置から送信された前記配信用情報を取得する第２の配信用情報取得手段と、前記データ通信装置から送信された前記電力供給用の電磁波から駆動用の電力を生成する電力生成手段と、前記第２の配信用情報取得手段によって取得した配信用情報を表示する配信用情報表示手段と、を備えることを特徴とする非接触識別タグ。
【請求項１１】
請求項５記載の情報処理端末を制御するためのプログラムであって、
配信用情報を設定する配信用情報設定ステップと、当該設定された配信用情報を前記データ通信装置を介して特定の前記非接触識別タグに配信するための配信要求と前記配信要求に対応した前記配信用情報とを所定の前記データ通信装置に伝送する第１の伝送ステップと、を備えることを特徴とする情報処理端末制御プログラム。
【請求項１２】
請求項６記載のデータ通信装置を制御するためのプログラムであって、
前記配信要求に応じて、前記データ通信装置の管理領域内にその配信要求先の前記非接触識別タグが存在するか否かを検出する非接触識別タグ検出ステップと、前記第１の伝送ステップにおいて伝送された前記配信用情報を取得する第１の配信用情報取得ステップと、前記非接触識別タグ検出ステップにおいて存在が検出された前記配信要求先の非接触識別タグに対して電力供給用の電磁波と前記第１の配信用情報取得ステップにおいて取得した前記配信用情報とを伝送する第２の伝送ステップと、を備えることを特徴とするデータ通信装置制御プログラム。
【請求項１３】
請求項７記載のデータ通信装置を制御するためのプログラムであって、
前記配信要求に応じて、前記データ通信装置の管理領域内にその配信要求先の前記非接触識別タグが存在するか否かを検出する非接触識別タグ検出ステップと、前記第１の伝送ステップにおいて伝送された前記配信用情報を取得する第１の配信用情報取得ステップと、前記非接触識別タグ検出ステップにおいて存在が検出された前記配信要求先の非接触識別タグに対して電力供給用の電磁波と前記第１の配信用情報取得ステップにおいて取得した前記配信用情報とを伝送する第２の伝送ステップと、前記非接触識別タグ検出ステップによって配信要求先の非接触識別タグの存在が検出されなかったときに、他のデータ通信装置に対して前記取得した配信要求及び配信用情報を伝送する情報配信委託ステップと、を備えることを特徴とするデータ通信装置制御プログラム。
【請求項１４】
前記情報配信委託ステップにおいては、前記非接触識別タグ検出ステップにおいて前記配信要求先の非接触識別タグの存在が検出されなかったときに、他のデータ通信装置に対して前記取得した配信要求を伝送するようになっており、
前記第１の配信用情報取得ステップにおいては、前記非接触識別タグ検出ステップにおいて前記配信要求先の非接触識別タグの存在が検出されたときに、前記情報処理端末から前記配信要求に対応した前記配信用情報を取得するようになっていることを特徴とする請求項１３記載のデータ通信装置制御プログラム。
【請求項１５】
請求項１０記載の非接触識別タグを制御するためのプログラムであって、
前記データ通信装置から送信された前記配信用情報を取得する第２の配信用情報取得ステップと、前記データ通信装置から送信された前記電力供給用の電磁波から駆動用の電力を生成する電力生成ステップと、前記第２の配信用情報取得ステップにおいて取得した前記配信用情報を表示する配信用情報表示ステップと、を備えることを特徴とする非接触識別タグ制御プログラム。
【発明の詳細な説明】
【０００１】
【発明の属する技術分野】
本発明は、表示手段を備える非接触識別タグを利用したデータ通信に関する。
【０００２】
【従来の技術】
従来、特定の領域内の個々人と管理装置との間の情報の相互通信を可能とするシステムが考えられている（特許文献１参照）。このシステムは、送受信装置及び情報表示部を有し且つ必要な情報の送信及び受信が可能な手段を有する中央管理装置１１と、この中央管理装置と双方向通信を行うことができ、前記中央管理装置から発信された情報を表示することができる表示部とこの情報を発信する手段とを有する表示装置と、前記情報を表示できる表示部を有し、中央管理装置及び前記表示装置と双方向通信を行うことにより前記情報を表示できるとともに、情報を発信する手段を有する携帯型端末機と、から構成されている。
【０００３】
【特許文献１】
特開２００１−１１８１８１
【０００４】
【発明が解決しようとする課題】
しかしながら、上記特許文献１のシステムでは、システムを一括管理する中央管理装置と携帯型端末機との間の双方向の情報伝達は可能であるが、ネットワークに接続されたＰＣ（Ｐｅｒｓｏｎａｌ  Ｃｏｍｐｕｔｅｒ）等の汎用の情報処理端末と携帯型端末機との間の情報伝達を行う構成については述べられていない。従って、このシステム構成では、例えば、会社等で携帯型端末機を社員全員に持たせたようなときに、一部の社員で行われる会議等の連絡事項の伝達においても、中央管理装置を使用して行わなければならない。
【０００５】
また、上記特許文献１で述べられている携帯型端末機はその構成から電源部を有する必要があり、そのため電池交換等の不経済な状況が発生する恐れがあると共に、この電源部により携帯型端末機の重量が増したり、携帯型端末機の形状が大きくなってしまうなどの携帯性を損なう問題も発生する恐れがある。
また、上記特許文献１のシステムでは、ビルや病院などの１つの建物内、遊園地、動物園などの１つのエリア内において構成されるものであり、例えば、遠く離れた他のビルに設置された表示装置の管理領域内に存在する特定の携帯型端末機に対して情報を伝達したりすることはできない。
【０００６】
そこで、本発明は、このような従来の技術の有する未解決の課題に着目してなされたものであって、非接触識別タグを利用することにより、経済的で且つ携帯性を有し、データ通信装置の配設場所を問わず当該データ通信装置の管理領域内に存在する特定のシステム利用者へのデータ配信を行うのに好適な情報配信システム、このシステムにおける、情報処理端末、データ通信装置、非接触識別タグ、配信用サーバ制御プログラム、データ通信装置制御プログラム、及び、非接触識別タグ制御プログラムを提供することを目的としている。
【０００７】
【課題を解決するための手段】
上記目的を達成するために、本発明に係る情報配信システムは、情報処理端末と所定の場所に配設されたデータ通信装置と非接触識別タグとを含む情報配信システムにおいて、
前記情報処理端末と前記データ通信装置とは所定の通信回線を介してそれぞれ互いにデータ通信可能に接続されており、
前記情報処理端末は、配信用情報を設定する配信用情報設定手段と、当該設定された配信用情報を前記データ通信装置を介して特定の前記非接触識別タグに配信するための配信要求と前記配信要求に対応した前記配信用情報とを所定の前記データ通信装置に伝送する第１の伝送手段と、を備え、
前記データ通信装置は、前記配信要求に応じて、前記データ通信装置の管理領域内にその配信要求先の前記非接触識別タグが存在するか否かを検出する非接触識別タグ検出手段と、前記第１の伝送手段によって伝送された前記配信用情報を取得する第１の配信用情報取得手段と、前記非接触識別タグ検出手段によって存在が検出された前記配信要求先の非接触識別タグに対して電力供給用の電磁波と前記第１の配信用情報取得手段によって取得した前記配信用情報とを伝送する第２の伝送手段と、を備え、
前記非接触識別タグは、前記データ通信装置から送信された前記配信用情報を取得する第２の配信用情報取得手段と、前記データ通信装置から送信される前記電力供給用の電磁波から駆動用の電力を生成する電力生成手段と、前記第２の配信用情報取得手段によって取得した前記配信用情報を表示する配信用情報表示手段と、を備えることを特徴としている。
【０００８】
このような構成であれば、第１の発明において、情報処理端末は、配信用情報設定手段によって配信用情報を設定することが可能であり、第１の伝送手段によって、前記設定された配信用情報を前記データ通信装置を介して特定の前記非接触識別タグに配信するための配信要求と前記配信要求に対応した配信用情報とを所定の前記データ通信装置に伝送することが可能であり、データ通信装置は、非接触識別タグ検出手段によって、前記配信要求に応じて、前記データ通信装置の管理領域内にその配信要求先の前記非接触識別タグが存在するか否かを検出することが可能であり、第１の配信用情報取得手段によって、前記第１の伝送手段によって伝送された前記配信用情報を取得することが可能であり、第２の伝送手段によって、前記非接触識別タグ検出手段によって存在が検出された前記配信要求先の非接触識別タグに対して電力供給用の電磁波と前記取得した配信用情報とを伝送することが可能であり、非接触識別タグは、第２の配信用情報取得手段によって、前記データ通信装置から送信された前記配信用情報を取得することが可能であり、電力生成手段によって、前記データ通信装置から送信される前記電力供給用の電磁波から駆動用の電力を生成することが可能であり、配信用情報表示手段によって、第２の配信用情報取得手段によって取得した配信用情報を表示することが可能である。
【０００９】
従って、情報処理端末によって、データ通信装置の管理領域内に存在する特定の非接触識別タグに対して、配信用情報設定手段によって設定した配信用情報を伝送し、当該配信用情報を非接触識別タグにおいて表示することが可能であるので、例えば、データ通信装置を建物内の各所に配置しておくことにより、建物内にいる非接触識別タグを所持した人（お客様とか）に対して、道案内情報等を簡易に伝送することが可能であり、且つ、その情報を非接触識別タグにおいて表示することが可能なので、非接触識別タグの所持者は情報内容の把握が容易となる。
【００１０】
ここで、非接触識別タグとは、ＲＦＩＤ（Ｒａｄｉｏ  Ｆｒｅｑｕｅｎｃｙ  ＩＤｅｎｔｉｆｉｃａｔｉｏｎ）システムにおいて用いられるもので、一般にデータキャリアなどとも呼ばれている。その形状には、ラベル型、カード型、コイン型、スティック型等の様々なものがある。これらの形状はアプリケーションと密接な関係があり、例えば、人が持つものは、カード形あるいはラベル形をキーホルダ形状に加工したものがある。また、半導体のキャリアＩＤとしてはスティック形が主流となっている。なお、リネン関連の服に縫い込まれるものはコイン形が主流となっている。
【００１１】
また、非接触識別タグは、データ読取専用、あるいは、データの読み書きが自由に行える記憶領域を備えており、更に、アンテナ側からの非接触電力伝送により電池が無くても動作可能なものがある。
また、ＲＦＩＤシステムとは、媒体に電波・電磁波を用いたＩＤシステムであり、非接触識別タグが、（１）  携帯容易な大きさであること、（２）  情報を電子回路に記憶すること、（３）  非接触通信により交信することの３つの特徴を備えている。
【００１２】
従って、ＲＦＩＤシステムは、非接触識別タグを持つ人・物・車などと、その情報とを一元化させる目的で使用される。つまり、人・物・車がある場所で随時、必要な情報を取り出すことができ、かつ必要に応じて新たな情報を書き込むことができる。
また、ＲＦＩＤシステムの代表的な種類としては、主に、交流磁界によるコイルの相互誘導を利用して非接触識別タグとの交信を行なう電磁結合方式、  主に、２５０ｋＨｚ以下、あるいは、１３．５６ＭＨｚ帯の長・中波帯の電磁波を利用して非接触識別タグとの交信を行なう電磁誘導方式、リーダ／ライタ側のアンテナと非接触識別タグ間で、２．４５ＧＨｚ帯のマイクロ波によりデータ交信を行なうマイクロ波方式、光の発生源としてＬＥＤを、受光器としてはフォトトランジスタ等を配置し、光の空間伝送を利用して非接触識別タグとの交信を行なう光方式の４つがある。
【００１３】
また、アクセス方式は、主に、シングルアクセスモード、ＦＩＦＯ（Ｆｉｒｓｔ  ＩｎＦｉｒｓｔ  Ｏｕｔ）アクセスモード、マルチアクセスモード、セレクティブアクセスモードの４つがある。
シングルアクセスモードは、アンテナ交信領域内に存在する非接触識別タグは１個であり、複数の非接触識別タグがアンテナの交信領域内にあると交信エラーとなり、交信できなくなる。
【００１４】
ＦＩＦＯアクセスモードは、アンテナの交信領域内に順番に入ってくる非接触識別タグと順番に交信することができる。交信を終了した非接触識別タグにはアクセス禁止処理を行なうので、交信終了したタグがアンテナの交信領域内に複数存在しても、新たなタグが１個だけアンテナの交信領域内に入ってくれば交信ができる。同時に非接触識別タグが交信領域内にはいると、交信エラーとなり交信できなくなる。アクセス禁止された非接触識別タグは、交信領域外にでると再び交信が可能となる。
【００１５】
マルチアクセスモードは、アンテナの交信領域内に複数の非接触識別タグが存在しても、全ての非接触識別タグと交信ができる。
セレクティブアクセスモードは、交信領域内にある複数の非接触識別タグのうち、特定の非接触識別タグと交信ができるもので、交信領域内の非接触識別タグに番号を割り当てるコマンドと、割り当てた番号をもとに、特定の非接触識別タグとの交信を行なうコマンドで実現される。
【００１６】
また、上記した配信用情報設定手段は、入力デバイス等によって利用者によって入力され設定される場合と、予め用意された情報の中から選択して設定する場合とが考えられる。
また、上記した管理領域は、データ通信装置と非接触識別タグとの交信が可能な範囲であり、使用する通信手段によって、その範囲が変わるものである。
【００１７】
また、第２の発明は、情報処理端末と所定の場所に配設された複数のデータ通信装置と非接触識別タグとを含む情報配信システムにおいて、
前記情報処理端末と前記データ通信装置とは所定の通信回線を介してそれぞれ互いにデータ通信可能に接続されており、
前記情報処理端末は、配信用情報を設定する配信用情報設定手段と、当該設定された配信用情報を前記データ通信装置を介して特定の前記非接触識別タグに配信するための配信要求と前記配信要求に対応した前記配信用情報とを所定の前記データ通信装置に伝送する第１の伝送手段と、を備え、
前記データ通信装置は、前記配信要求に応じて、前記データ装置の管理領域内にその配信要求先の前記非接触識別タグが存在するか否かを検出する非接触識別タグ検出手段と、前記第１の伝送手段によって伝送された前記配信用情報を取得する第１の配信用情報取得手段と、前記非接触識別タグ検出手段によって存在が検出された前記配信要求先の非接触識別タグに対して電力供給用の電磁波と前記第１の配信用情報取得手段によって取得した配信用情報とを伝送する第２の伝送手段と、前記非接触識別タグ検出手段によって前記配信要求先の非接触識別タグの存在が検出されなかったときに、他のデータ通信装置に対して前記取得した配信要求及び配信用情報を伝送する情報配信委託手段と、を備え、
前記非接触識別タグは、前記データ通信装置から送信された前記配信用情報を取得する第２の配信用情報取得手段と、前記データ通信装置から送信された前記電力供給用の電磁波から駆動用の電力を生成する電力生成手段と、前記第２の配信用情報取得手段によって取得した配信用情報を表示する配信用情報表示手段と、を備えることを特徴としている。
【００１８】
このような構成であれば、情報処理端末は、配信用情報設定手段によって、配信用情報を設定することが可能であり、第１の伝送手段によって、設定された配信用情報を前記データ通信装置を介して特定の前記非接触識別タグに配信するための配信要求と前記配信要求に対応した前記配信用情報とを所定の前記データ通信装置に伝送することが可能であり、データ通信装置は、非接触識別タグ検出手段によって、前記配信要求に応じて、前記データ通信装置の管理領域内にその配信要求先の前記非接触識別タグが存在するか否かを検出することが可能であり、第１の配信用情報取得手段によって、前記第１の伝送手段によって伝送された前記配信用情報を取得することが可能であり、第２の伝送手段によって、前記非接触識別タグ検出手段によって存在が検出された前記配信要求先の非接触識別タグに対して電力供給用の電磁波と前記第１の配信用情報取得手段によって取得した配信用情報とを伝送することが可能であり、情報配信委託手段によって、非接触識別タグ検出手段によって前記配信要求先の非接触識別タグの存在が検出されなかったときに、他のデータ通信装置に対して前記取得した配信要求及び配信用情報を伝送することが可能であり、非接触識別タグは、第２の配信用情報取得手段によって、前記データ通信装置から送信された前記配信用情報を取得することが可能であり、電力生成手段によって、前記データ通信装置から送信された前記電力供給用の電磁波から駆動用の電力を生成することが可能であり、配信用情報表示手段によって、第２の配信用情報取得手段によって取得した配信用情報を表示することが可能である。
【００１９】
従って、情報処理端末によって、データ通信装置の管理領域内に存在する特定の非接触識別タグに対して、配信用情報設定手段によって設定した配信用情報を伝送することが可能であるので、例えば、データ通信装置を建物内の各所に配置しておくことにより、建物内にいる非接触識別タグを所持した人（ある会社に対するお客様とか）に対して、道案内情報等を簡易に伝送することが可能となる。更に、管理領域内に目的の非接触識別タグが存在しなかったときに、データ通信装置は、取得した配信要求及び配信用情報を他のデータ通信装置に伝送し、当該他のデータ通信装置にその処理を委託できるようにしたので、一度データ通信装置に配信要求及び配信用情報を伝送すれば、後の処理をデータ通信装置が自動的に行うので情報処理端末の処理を軽減することが可能である。なお更に、データ通信装置を遠く離れた他の建物内にも配設し、これらのデータ通信装置同士をインターネットなどのネットワークを介してデータ通信可能に接続することで、遠く離れた他の場所に存在する非接触識別タグに対しても配信用情報を伝送することが可能となる。
【００２０】
また、第３の発明は、第２の発明において、前記情報配信委託手段は、前記非接触識別タグ検出手段によって前記要求先の非接触識別タグの存在が検出されなかったときに、他のデータ通信装置に対して前記取得した配信要求を伝送するようになっており、
前記第１の配信用情報取得手段は、前記非接触識別タグ検出手段によって前記配信要求先の非接触識別タグの存在が検出されたときに、前記情報処理端末から前記配信要求に対応した配信用情報を取得するようになっていることを特徴としている。
【００２１】
つまり、情報配信委託手段は、非接触識別タグ検出手段によって前記前記要求先の非接触識別タグの存在が検出されなかったときに、他のデータ通信装置に対して前記取得した配信要求を伝送するようになっており、第１の配信用情報取得手段は、前記非接触識別タグ検出手段によって前記配信要求先の非接触識別タグの存在が検出されたときに、前記情報処理端末から前記配信要求に対応した配信用情報を取得するようになっている。
【００２２】
従って、情報処理端末からデータ通信装置に対して配信要求を伝送することで、データ通信装置側で特定の非接触識別タグを検出する処理が行われ、且つ、検出されたときに、情報処理端末からその配信要求に対応した配信用情報を取得するようにしたので、データ通信装置による非接触識別タグの検出時のデータ通信量を軽減することが可能である。
【００２３】
また、第４の発明は、第１乃至第３のいずれか１の発明において、前記データ通信装置は、前記管理領域内に前記配信用情報の伝送対象となる前記非接触識別タグが存在するときに、当該非接触識別タグの所持者に対して前記配信用情報を送信した旨を通知する通知手段を備えることを特徴としている。
つまり、通知手段によって、管理領域内に配信用情報の配信先の非接触識別タグが存在するときに、当該非接触識別タグの所持者に対して前記配信用情報を送信した旨を通知することが可能である。ここで、通知手段による通知方法としては、管理領域内に存在する非接触識別タグの所持者全てに対してのランプ等の発光手段により通知を行う方法や、ＩＤ番号やＩＤ番号に対応した人物名を音声メッセージとして出力することで特定の者に対して通知を行う方法など、様々な方法がある。従って、非接触識別タグの所持者は、この通知により、自分の所持する非接触識別タグに配信用情報が届いている、あるいは、その可能性があることを知ることが可能となるので、気づかずに配信用情報を見逃すと言ったことを低減することが可能となる。
【００２４】
また、第５の発明は、第１乃至第４のいずれか１の発明における前記情報処理端末であって、
配信用情報を設定する配信用情報設定手段と、当該設定された配信用情報を前記データ通信装置を介して特定の前記非接触識別タグに配信するための配信要求と前記配信要求に対応した前記配信用情報とを所定の前記データ通信装置に伝送する第１の伝送手段と、を備えることを特徴としている。
【００２５】
ここで、本発明は、第１乃至第４のいずれか１の発明における前記情報処理端末であり、その作用効果は重複するので記載を省略する。
また、第６の発明は、第１の発明における前記データ通信装置であって、
前記配信要求に応じて、前記データ通信装置の管理領域内にその配信要求先の前記非接触識別タグが存在するか否かを検出する非接触識別タグ検出手段と、前記第１の伝送手段によって伝送された前記配信用情報を取得する第１の配信用情報取得手段と、前記非接触識別タグ検出手段によって存在が検出された前記配信要求先の非接触識別タグに対して電力供給用の電磁波と前記第１の配信用情報取得手段によって取得した前記配信用情報とを伝送する第２の伝送手段と、を備えることを特徴としている。
【００２６】
ここで、本発明は、第１の発明における前記データ通信装置であり、その作用効果は重複するので記載を省略する。
また、第７の発明は、第２の発明における前記データ通信装置であって、
前記配信要求に応じて、前記データ通信装置の管理領域内にその配信要求先の前記非接触識別タグが存在するか否かを検出する非接触識別タグ検出手段と、前記第１の伝送手段によって伝送された前記配信用情報を取得する第１の配信用情報取得手段と、前記非接触識別タグ検出手段によって存在が検出された前記配信要求先の非接触識別タグに対して電力供給用の電磁波と前記第１の配信用情報取得手段によって取得した配信用情報とを伝送する第２の伝送手段と、前記非接触識別タグ検出手段によって前記配信要求先の非接触識別タグの存在が検出されなかったときに、他のデータ通信装置に対して前記取得した配信要求及び配信用情報を伝送する情報配信委託手段と、を備えることを特徴としている。
【００２７】
ここで、本発明は、第２の発明における前記データ通信装置であり、その作用効果は重複するので記載を省略する。
また、第８の発明は、前記情報配信委託手段は、前記非接触識別タグ検出手段によって前記配信要求先の非接触識別タグの存在が検出されなかったときに、他のデータ通信装置に対して前記取得した配信要求を伝送するようになっており、前記第１の配信用情報取得手段は、前記非接触識別タグ検出手段によって前記配信要求先の非接触識別タグの存在が検出されたときに、前記情報処理端末から前記配信要求に対応した前記配信用情報を取得するようになっていることを特徴としている。
【００２８】
ここで、本発明は、第３の発明における前記データ通信装置であり、その作用効果は重複するので記載を省略する。
また、第９の発明は、第６乃至第８のいずれか１の発明において、前記管理領域内に前記配信用情報の伝送対象となる前記非接触識別タグが存在するときに、当該非接触識別タグの所持者に対して前記配信用情報を送信した旨を通知する通知手段を備えることを特徴としている。
【００２９】
ここで、本発明は、第４の発明における前記データ通信装置であり、その作用効果は重複するので記載を省略する。
また、第１０の発明は、第１乃至第４のいずれか１の発明における前記非接触識別タグであって、
前記データ通信装置から送信された前記配信用情報を取得する第２の配信用情報取得手段と、前記データ通信装置から送信された前記電力供給用の電磁波から駆動用の電力を生成する電力生成手段と、前記第２の配信用情報取得手段によって取得した配信用情報を表示する配信用情報表示手段と、を備えることを特徴としている。
【００３０】
ここで、本発明は、第１乃至第４のいずれか１の発明における前記非接触識別タグであり、その作用効果は重複するので記載を省略する。
また、第１１の発明は、第５の発明を制御するためのプログラムであって、
配信用情報を設定する配信用情報設定ステップと、当該設定された配信用情報を前記データ通信装置を介して特定の前記非接触識別タグに配信するための配信要求と前記配信要求に対応した前記配信用情報とを所定の前記データ通信装置に伝送する第１の伝送ステップと、を備えることを特徴としている。
【００３１】
ここで、本発明は、第５の発明を制御するためのプログラムであり、その効果は重複するので記載を省略する。
また、第１２の発明は、第６の発明を制御するためのプログラムであって、
前記配信要求に応じて、前記データ通信装置の管理領域内にその配信要求先の前記非接触識別タグが存在するか否かを検出する非接触識別タグ検出ステップと、前記第１の伝送ステップにおいて伝送された前記配信用情報を取得する第１の配信用情報取得ステップと、前記非接触識別タグ検出ステップにおいて存在が検出された前記配信要求先の非接触識別タグに対して電力供給用の電磁波と前記第１の配信用情報取得ステップにおいて取得した前記配信用情報とを伝送する第２の伝送ステップと、を備えることを特徴としている。
【００３２】
ここで、本発明は、第６の発明を制御するためのプログラムであり、その効果は重複するので記載を省略する。
また、第１３の発明は、第７の発明を制御するためのプログラムであって、
前記配信要求に応じて、前記データ通信装置の管理領域内にその配信要求先の前記非接触識別タグが存在するか否かを検出する非接触識別タグ検出ステップと、前記第１の伝送ステップにおいて伝送された前記配信用情報を取得する第１の配信用情報取得ステップと、前記非接触識別タグ検出ステップにおいて存在が検出された前記配信要求先の非接触識別タグに対して電力供給用の電磁波と前記第１の配信用情報取得ステップにおいて取得した前記配信用情報とを伝送する第２の伝送ステップと、前記非接触識別タグ検出ステップによって配信要求先の非接触識別タグの存在が検出されなかったときに、他のデータ通信装置に対して前記取得した配信要求及び配信用情報を伝送する情報配信委託ステップと、を備えることを特徴としている。
【００３３】
ここで、本発明は、第７の発明を制御するためのプログラムであり、その効果は重複するので記載を省略する。
また、第１４の発明は、前記情報配信委託ステップにおいては、前記非接触識別タグ検出ステップにおいて前記配信要求先の非接触識別タグの存在が検出されなかったときに、他のデータ通信装置に対して前記取得した配信要求を伝送するようになっており、
前記第１の配信用情報取得ステップにおいては、前記非接触識別タグ検出ステップにおいて前記配信要求先の非接触識別タグの存在が検出されたときに、前記情報処理端末から前記配信要求に対応した前記配信用情報を取得するようになっていることを特徴としている。
【００３４】
ここで、本発明は、第８の発明を制御するためのプログラムであり、その効果は重複するので記載を省略する。
また、第１５の発明は、第１０の発明を制御するためのプログラムであって、
前記データ通信装置から送信された前記配信用情報を取得する第２の配信用情報取得ステップと、前記データ通信装置から送信された前記電力供給用の電磁波から駆動用の電力を生成する電力生成ステップと、前記第２の配信用情報取得ステップにおいて取得した前記配信用情報を表示する配信用情報表示ステップと、を備えることを特徴としている。
ここで、本発明は、第１０の発明を制御するためのプログラムであり、その効果は重複するので記載を省略する。
【００３５】
本発明は更に以下の態様を採り得る。
（１）前記配信用情報表示手段は、電気泳動式表示装置を有することを特徴とする第１乃至第４のいずれか１の発明に記載の情報配信システム。
（２）前記配信用情報表示手段は、電気泳動式表示装置を有することを特徴とする第１０の発明に記載の非接触識別タグ。
【００３６】
（３）前記管理領域内に前記配信用情報の伝送対象となる前記非接触識別タグが存在するときに、当該非接触識別タグの所持者に対してその旨を通知する通知ステップを備えることを特徴とする第１２乃至第１４のいずれか１の発明に記載のデータ通信装置制御プログラム。
【００３７】
【発明の実施の形態】
以下、本発明の実施の形態を図面に基づいて説明する。図１乃至図７は、本発明に係る情報配信システムの実施の形態を示す図である。
まず、本発明に係る情報配信システムの概略構成を図１に基づいて説明する。図１は、本発明に係る情報配信システムの概略構成を示す図である。
【００３８】
情報配信システム１は、情報処理端末２と、データ通信装置３と、非接触識別タグ４と、インターネット６と、を含んだ構成となっている。
情報処理端末２は、情報処理端末Ａ２ａと、情報処理端末Ｂ２ｂと、情報処理端末Ｃ２ｃと、から構成されている。ここで、情報処理端末２は、説明の便宜上前記３台となっているが、これに限らず、３台より少ない数で構成しても良いし、３台より多い数で構成しても良い。ここで、情報処理端末２は、ＰＣやＷＳ（Ｗｏｒｋ  Ｓｔａｔｉｏｎ）などの据え置き型のもの、ＰＤＡ（Ｐｅｒｓｏｎａｌ  Ｄｉｇｉｔａｌ  Ａｓｓｉｓｔａｎｔ）、ノートＰＣ、携帯電話等の人手により容易に運搬可能なものなど、インターネットに接続可能な情報処理装置であれば何でも良い。
【００３９】
データ通信装置３は、データ通信装置Ａ３ａと、データ通信装置Ｂ３ｂと、データ通信装置Ｃ３ｃと、から構成されている。ここで、情報処理端末２は、説明の便宜上前記３台となっているが、これに限らず、２台以上であれば何台で構成しても良い（本発明は、データ通信装置の数が増せば増すほど有用となる）。また、データ通信装置３は、それぞれ管理領域５ａ〜５ｃを有しており、これら管理領域内に存在する非接触識別タグ４と非接触でデータ通信を行うことが可能となっている。
【００４０】
非接触識別タグ４は、第１の非接触識別タグ４ａ〜第７の非接触識別タグ４ｇの７台から構成されている。ここで、非接触識別タグ４は、説明の便宜上前記７台となっているが、これに限らず、７台より少ない数で構成しても良いし、７台より多い数で構成しても良い。
インターネット６は、世界中の様々なネットワークが相互接続された大規模なネットワークであり、ＰＣや携帯電話等の情報処理端末によって電話回線や専用回線等を介して接続することが可能なものである。また、ネットワークに接続されたＷＷＷ（Ｗｏｒｌｄ  Ｗｉｄｅ  Ｗｅｂ）サーバ等の公開している情報を専用のブラウザソフトによって閲覧することが可能であり、ネットビジネス等の様々な用途に用いられるものである。
【００４１】
更に、図２に基づき、情報処理端末２の構成を説明する。図２は、情報処理端末Ａ２ａの構成を示すブロック図である。ここで、情報処理端末Ａ２ａ〜情報処理端末Ｃ２ｃは、同一の構成を有するものであるので、代表して情報処理端末Ａ２ａの構成を説明する。
図２に示すように、情報処理端末Ａ２ａは、配信用情報設定部２０と、配信要求生成部２１と、第１のデータ通信部２２と、を含んだ構成となっている。
【００４２】
配信用情報設定部２０は、キーボードやマウス等の図示しない入力デバイスによって、配信する情報を設定するためのものである。本実施の形態において、設定方法は、キーボードにより非接触識別タグ４に配信するメッセージを直接入力して設定する方法と、予め用意されているメッセージをマウス等によって選択する方法と、の２種類がある。
【００４３】
更に、ここでは、配信先の非接触識別タグ４を設定することが可能となっており、本実施の形態において、この設定方法は、予め登録された非接触識別タグ４のＩＤ番号をリストから選択する方法と、キーボード等の入力デバイスによってＩＤ番号を直接入力する方法と、の２種類がある。ここで、ＩＤ番号の選択においては、非接触識別タグの持主が予め決定されているときは、ＩＤ番号ではなくその持主の名前でリストを構成し、名前を選択する方法も考えられる。
【００４４】
更に、配信先として設定できる非接触識別タグ４は、単数でも複数でも良く、選択リスト側においても、例えば、会社等の部署名を選択するとその部署の社員全員の所持する非接触識別タグのＩＤ番号が配信先として選択されるといった方法も考えられる。
更に、本実施の形態においては、最初に配信要求を送信するデータ通信装置３を選択することが可能となっている。この選択は、例えば、ＩＤリストからデータ通信装置のＩＤを選択したり、領域リストから各データ通信装置が管理している、当該データ通信装置のＩＤと対応付けられた領域名（例えば、第一会議室、食堂、一階トイレ等）を選択したりするなどが考えられる。
【００４５】
また、伝送する順番は、上記最初に配信要求を送信するデータ通信装置３の選択と同様に、ＩＤリストからシステム利用者が任意に選択して設定したり、予め設定されているものを選択したりするなどが考えられる。他にも、最初に選択するデータ通信装置の情報のみを選択し、最初に選択されたデータ通信装置がその後の選択順番をランダムで設定したり、予めデータ通信装置側で決められた順番に基づいてその後の伝送処理を行うなど、伝送順番をデータ通信装置側で管理する構成も考えられる。
【００４６】
配信要求生成部２１は、配信用情報設定部２０において設定された内容に基づき、データ通信装置３に対する配信要求を生成するものである。ここで、本実施の形態において、配信要求は、送信元情報処理端末ＩＤ、送信先ＩＤ、データ通信装置３のＩＰ（Ｉｎｔｅｒｎｅｔ  Ｐｒｏｔｏｃｏｌ）アドレス、配信先の非接触識別タグ４のＩＤ情報及び配信するメッセージ情報から構成される。
【００４７】
ここで、送信元情報処理端末ＩＤは、配信要求元の情報処理端末の情報及び情報処理端末が送信した複数の配信要求のうちどの配信要求であるかが分かる情報である。
また、送信先ＩＤは、送信先のデータ通信装置全てのＩＤ及びこれらデータ通信装置に処理を委託する際の配信要求を伝送する順番の情報（最初に配信要求を伝送するデータ通信装置３の情報も含む）を含んだものである。なお、上記配信要求において、データ通信装置３のＩＰアドレスをＭＡＣ（Ｍｅｄｉａ  Ａｃｃｅｓｓ  Ｃｏｎｔｒｏｌ）  アドレスとしても良い。
【００４８】
第１のデータ通信部２２は、インターネット６を介してデータ通信装置３と配信要求等のデータ通信を行うためのものである。つまり、送信先のＩＰアドレス（あるいはＭＡＣアドレス）の機器に対して適切な情報を有するパケットを生成したり、送られてきたパケットを受信して解析し必要な情報を取り出したりする。本実施の形態においては、ＴＣＰやＵＤＰなどの所定のプロトコルによりパケットデータの送受信を行う。
【００４９】
ここで、図示しないが、情報処理端末２は、各処理部を制御をするためのプログラムの記憶されたＲＯＭ（Ｒｅａｄ  Ｏｎｌｙ  Ｍｅｍｏｒｙ）等の記憶媒体と、プログラムの実行において使用するデータを一時記憶するためのＲＡＭ（Ｒａｎｄｏｍ  Ａｃｃｅｓｓ  Ｍｅｍｏｒｙ）と、プログラムを実行するためのＣＰＵ（中央処理装置）等のプロセッサと、各部間のデータの送受信を行うためのＩ／Ｆ（インターフェース）回路とを備えている。
【００５０】
更に、図３に基づき、第１の実施の形態におけるデータ通信装置３の構成を説明する。図３は、データ通信装置Ａ３ａの構成を示すブロック図である。ここで、データ通信装置Ａ３ａ〜データ通信装置Ｃ３ｃは、同一の構成を有するものであるので、代表してデータ通信装置Ａ３ａの構成を説明する。
図３に示すように、データ通信装置Ａ３ａは、第２のデータ通信部３０と、非接触識別タグ検出部３１と、近距離無線通信部３２と、配信用情報伝送処理部３３と、情報配信委託部３４と、を含んだ構成となっている。
【００５１】
第２のデータ通信部３０は、インターネット６を介して情報処理端末２又は他のデータ通信装置３と配信要求等のデータの通信を行うためのものである。つまり、送信先の機器に対して適切な情報を有するパケットを生成したり、送られてきたパケットを受信して解析し必要な情報を取り出したりする。本実施の形態においては、ＴＣＰやＵＤＰなどの所定のプロトコルによりパケットデータの送受信を行う。
【００５２】
非接触識別タグ検出部３１は、インターネット６を介して取得した配信要求に応じて管理領域内（ここでは管理領域５ａ）に存在する非接触識別タグを検出するもので、管理領域５ａ内に存在する全ての非接触識別タグに届くように応答要求コマンドを送出する。これにより、管理領域５ａ内に存在する非接触識別タグ４は、電源生成部４６によって駆動電力を生成し、自己のＩＤ番号を含む情報を返信する等の動作が可能となる。従って、非接触識別タグ検出部３１は、応答要求コマンドの送出により管理領域５ａ内に存在する非接触識別タグのＩＤ番号を取得することが可能であり、この情報と配信要求に含まれるＩＤ番号情報とを照合することで、配信先のＩＤ番号を有する非接触識別タグが、管理領域５ａ内に存在するか否かを検出することが可能である。存在が検出された非接触識別タグの情報は、配信用情報伝送処理部３３に伝送され、存在が検出されなかった非接触識別タグの情報は、情報配信委託部３４に伝送される。
【００５３】
近距離無線通信部３２は、非接触識別タグ検出部３１からの応答要求コマンドの非接触識別タグへの伝送や、このコマンドに対する非接触識別タグからの応答情報の受信等の非接触識別タグとの間で非接触のデータ通信を行うためのものである。本実施の形態においては、２５０ｋＨｚ以下、あるいは、１３．５６ＭＨｚ帯の長・中波帯の電磁波を利用して非接触識別タグとの交信を行なう電磁誘導方式を使用している。
【００５４】
配信用情報伝送処理部３３は、管理領域５ａ内に、配信要求に含まれる配信先のＩＤ番号を有した非接触識別タグが検出されたときに（配信先が複数ある場合は１つでも配信先の非接触識別タグが検出された場合を含む）、配信要求に含まれる配信用メッセージを近距離無線通信部３２を介して配信先の非接触識別タグに伝送する処理を行うものである。つまり、本実施の形態においては、特定のタグとの通信を行うために、セレクティブアクセスモードを使用している。このモードは、上記したように交信領域内にある複数の非接触識別タグのうち、特定の非接触識別タグと交信ができるものである。
【００５５】
情報配信委託部３４は、管理領域５ａ内に、配信要求に含まれる配信先のＩＤ番号を有した非接触識別タグが検出されなかったときに（配信先が複数ある場合は配信先の非接触識別タグのうち１つでも検出されなかったものがある場合も含む）、配信要求を第２のデータ通信部３０を介して他のデータ通信装置に伝送する処理を行うものである。ここで、本実施の形態において、情報配信委託部３４は、配信要求を、当該配信要求に含まれる配信先の非接触識別タグのＩＤ情報うち、存在が検出されたものに関してはそのＩＤ情報を除外してから他のデータ通信装置に伝送するようになっている。
【００５６】
更に、本実施の形態において、配信要求が、システム内の全てのデータ通信装置に対して一通り伝送されたにもかかわらず、検出されない配信先の非接触識別タグがある場合は、再び、最初のデータ通信装置から、存在の検出されない配信先の非接触識別タグの検出処理を行う。ここで、本実施の形態において、この再検出処理は、配信先の非接触識別タグが全て見つからないうちは、所定回数（システム利用者が設定可能としても良い）繰り返し行うようになっている。
【００５７】
通知部３５は、管理領域５ａ内に、配信要求に含まれる配信先のＩＤ番号を有した非接触識別タグが検出され、そのタグに対して配信用情報が伝送されたときに、伝送されたことを知らせる通知を行うものである。通知方法としては、ランプ等の発光手段によって通知する方法や、音声メッセージ等の音により通知する方法が考えられる。本実施の形態においては、音声メッセージにより通知する方法を用いる。
【００５８】
ここで、図示しないが、データ通信装置３は、各処理部を制御するためのプログラムの記憶されたＲＯＭ等の記憶媒体と、プログラムの実行において使用するデータを一時記憶するためのＲＡＭと、プログラムを実行するためのＣＰＵ（中央処理装置）等のプロセッサと、各部間のデータの送受信を行うためのＩ／Ｆ（インターフェース）回路と、を備えている。
【００５９】
更に、図４に基づき、非接触識別タグ４の構成を説明する。図４は、第１の非接触識別タグ４ａの構成を示すブロック図である。ここで、第１の非接触識別タグ４ａ〜第７の非接触識別タグ４ｇは、ＩＤ番号が異なるだけで同一の構成を有するものであるので、代表して第１の非接触識別タグ４ａの構成を説明する。
図４に示すように、第１の非接触識別タグ４ａは、データ受信部４０と、データ送信部４１と、データ制御部４２と、データ記憶部４３と、配信用情報表示処理部４４と、電気泳動式表示装置４５と、電源生成部４６と、を含んだ構成となっている。
【００６０】
データ受信部４０は、データ通信装置３から伝送されたデータを電磁誘導方式により非接触で受信するためのものである。
データ送信部４１は、データ記憶部４３に記憶されたＩＤ番号等の所定の記憶データを電磁誘導方式によってデータ通信装置３に伝送するものである。
データ制御部４２は、データ通信装置３と非接触識別タグの間のデータ受信部４０及びデータ送信部４１を用いた電磁誘導方式によるデータ通信を制御するものである。
【００６１】
データ記憶部４３は、データ通信装置３から伝送された配信用情報などの所定のデータを記憶するためのものである。
配信用情報表示処理部４４は、取得した配信用情報を、文字や画像等の視認できる情報によって、電気泳動式表示装置４５に表示するものである。
電気泳動式表示装置４５は、電気泳動現象を利用した表示装置である。ここで、電気泳動現象とは、液相分散媒中に微粒子を分散させた分散液に電界を印加したときに、分散によって自然に帯電した粒子（電気泳動粒子）がクーロン力により泳動する現象である。この電気泳動式表示装置は、表示画像保持性能（以下、「メモリー性」と称する。）を有しており、電解の印加により一度表示された画像を保持することが可能である。
【００６２】
電源生成部４６は、データ通信装置３からのデータ伝送波を受信しそこから電源を生成して各部に供給するものである。
ここで、図示しないが、非接触識別タグ４は、各処理部を制御をするためのプログラムの記憶されたＲＯＭと、プログラムの実行において使用するデータを一時記憶するためのＲＡＭと、プログラムを実行するためのＣＰＵ（中央処理装置）等のプロセッサと、を備えている。
【００６３】
更に、情報配信システム１のより具体的な動作を説明する。ここでは、本システム１を、ある会社の建物内において適用した例を説明する。
まず、前提条件として、データ配信装置Ａ３ａを社内の休憩所に配設し、データ配信装置Ｂ３ｂを社内の会議室に配設し、データ配信装置Ｃ３ｃを社内食堂に配設する。また、部署Ａには、情報処理端末Ａ２ａが配設され、部署Ｂには、情報処理端末Ｂ２ｂが配設され、部署Ｃには、情報処理端末Ｃ２ｃが配設されている。また、社員は、それぞれＩＤ番号の異なる非接触識別タグを所持しているものとする。更に、部署Ａに所属する社員は、第１の非接触識別タグ４ａ〜第３の非接触識別タグ４ｃのいずれか１つを所持した３人を含み、部署Ｂに所属する社員は、第４の非接触識別タグ４ｄ又は第５の非接触識別タグ４ｅを所持した２人を含み、部署Ｃに所属する社員は、第６の非接触識別タグ４ｆ又は第７の非接触識別タグ４ｇを所持した２人を含むものとする。なお、第１〜第７の非接触識別タグ４ａ〜４ｇを所持した社員は、図１に示すように、管理領域５ａ〜５ｃのいずれかに存在するものとする。
【００６４】
まず、部署Ａの社員Ｘが、第３の非接触識別タグ４ｃを有する社員Ｙに対して、課長からのメッセージを伝送する第１の例を説明する。
社員Ｘは、まず、部署内に配設された情報処理端末Ａ２ａの配信用情報設定部２０において、配信するメッセージを設定する。ここで、予め用意された選択リストにメッセージとして適切なものがない場合は、図示しない付属のキーボードによりメッセージを手入力することになる。例えば、「課長が呼んでいるのですぐ戻れ」などのメッセージを入力して、これを設定する。
【００６５】
次に、配信先の第３の非接触識別タグ４ｃの所持者である社員Ｙを配信先選択リストから選択する。ここでは、社員Ｙと第３の非接触識別タグ４ｃとは対応付けれらているので、リストから社員Ｙの名前を選択することにより、第３の非接触識別タグ４ｃに設定されたＩＤ番号が選択され且つ設定されることになる。
更に、最初に配信要求を送信するデータ通信装置３を、当該データ通信装置３に対応付けられた領域リストの中から選択する。本実施の形態においては、伝送順番の決定時において、最初に配信要求を送信するデータ通信装置３を、ランダムで選択させることが可能となっている。
【００６６】
なお更に、配信処理を委託する場合の配信要求の伝送順番を決定する。本実施の形態において、この伝送順番は、次の３つの方法によって決定することが可能である。第１にシステム利用者が前記領域リストの中から任意に選択する。第２にシステム利用者が最初に配信要求を送信するデータ通信装置３を任意に選択し、その後の順番は、配信用情報設定部２０のプログラムがランダムに設定する。第３に最初に配信要求を送信するデータ通信装置３も含めて全ての伝送順番を配信用情報設定部２０のプログラムがランダムで設定する。
【００６７】
そして、配信要求生成部２１では、これら設定された配信メッセージ、配信先ＩＤ番号、最初に配信要求を伝送するデータ通信装置３の情報及びその後の伝送順番情報に基づきデータ通信装置に対する配信要求を生成する。
ここでは、システム利用者が、最初に配信要求を伝送するデータ通信装置３として社内食堂（データ通信装置Ｃ３ｃ）を任意に選択し、その後の伝送順番として、「データ通信装置Ｂ３ｂ→データ通信装置Ａ３ａ」を任意に選択したこととする。従って、生成された配信要求は、最初にデータ通信装置Ｃ３ｃに対して、第１のデータ通信部２２を介して伝送されることになる。
【００６８】
データ通信装置Ｃ３ｃは、情報処理端末Ａ２ａからの配信要求を第２のデータ通信部３０を介して取得すると、まず、これを非接触識別タグ検出部３１及び配信用情報伝送処理部３３に伝送する。非接触識別タグ検出部３１では、取得した配信要求を解析し、配信先の非接触識別タグのＩＤ番号を抽出する。そして、近距離無線通信部３２を介して、管理領域５ｃ内に存在する非接触識別タグの全てに対して応答要求を送信する。ここで、管理領域５ｃ内には、図１に示すように、第３の非接触識別タグ４ｃ及び第６の非接触識別タグ４ｆの２つが存在する。
【００６９】
ここで、本実施の形態においては、応答要求に、配信先の非接触識別タグのＩＤ番号を含ませることで、そのＩＤ番号に合致しない非接触識別タグには、この応答要求に対して応答を行わせない構成となっている。非接触識別タグ検出部３１は、非接触識別タグからの応答があった場合に、先程抽出したＩＤ番号と、当該応答に含まれるＩＤ番号とを照合して、配信先のＩＤ番号の非接触識別タグが存在するか否かを判定する（間違いないかを確認する）。従って、この例の場合は、応答要求にＩＤ番号が含まれる第３の非接触識別タグ４ｃのみから応答が返ってくることになる。
【００７０】
この応答を受信すると、非接触識別タグ検出部３１は、その旨を配信用情報伝送処理部３３に通知する。この通知を受けた配信用情報伝送処理部３３は、配信要求から配信するメッセージ情報を抽出し、近距離無線通信部３２を介して、第３の非接触識別タグ４ｃにメッセージを伝送する。
このメッセージ伝送に伴い、通知部３５では、音声メッセージにより、例えば、「Ｙさんにメッセージが届いています」などのメッセージを伝送した旨の通知を行う。更に、非接触識別タグ検出部３１では、配信要求にある配信先の全てにメッセージが伝送されたか否かを判定する。ここでは、配信先の全てにメッセージが伝送されたので、配信用情報伝送処理部３３は、配信要求に含まれる送信元情報処理端末ＩＤに基づき、配信要求の処理を完了した旨を示す情報を、第２のデータ通信部３０を介して配信要求の送信元である情報処理端末Ａ２ａに伝送する。
【００７１】
一方、第３の非接触識別タグ４ｃでは、データ受信部４０を介してメッセージを受信すると、このメッセージをデータ制御部４２を介して配信用情報表示処理部４４に伝送する。
配信用情報表示処理部４４は、メッセージを受け取ると、このメッセージ情報に応じた表示スタイルで当該メッセージを電気泳動式表示装置４５に表示する処理を行う。従って、Ｙさんは、上記通知部３５による音声メッセージの通知に応じて非接触識別タグにある電気泳動式表示装置４５の表示部を見ることで、そこに、「課長が呼んでいるのですぐ戻れ」といったメッセージが表示されていることを知ることになる。
【００７２】
更に、配信先は第３の非接触識別タグ４ｃのままで、配信要求を最初に配信するデータ通信装置としてデータ通信装置Ａ３ａが選択され、且つ、その後の伝送順番が、「データ通信装置Ｂ３ｂ→データ通信装置Ｃ３ｃ」と選択された第２の例を説明する。
データ通信装置Ａ３ａは、情報処理端末Ａ２ａからの配信要求を第２のデータ通信部３０を介して取得すると、まずこれを非接触識別タグ検出部３１及び配信用情報伝送処理部３３に伝送する。非接触識別タグ検出部３１では、取得した配信要求を解析し、配信先の非接触識別タグのＩＤ番号を抽出する。そして、近距離無線通信部３２を介して、管理領域５ａ内に存在する非接触識別タグの全てに対して応答要求を送信する。ここで、管理領域５ａ内には、図１に示すように、第１の非接触識別タグ４ａ、第２の非接触識別タグ４ｂ及び第７の非接触識別タグ４ｇの３つが存在する。従って、管理領域５ａには、配信先である第３の非接触識別タグ４ｃが存在しないので応答が返ってこないことになる。本実施の形態では、何も応答が返ってこなかったときには、応答要求の再送を所定回数（例えば、３回）行い、所定回数の再送にも応答がなかったときは管理領域内に配信先の第３の非接触識別タグ４ｃが存在しないと判断し、非接触識別タグ検出部３１は、その旨を情報配信委託部３４に通知する。この通知を受けた情報配信委託部３４は、配信要求に含まれる伝送順番情報に基づき、配信要求を第２のデータ通信部３０を介して、データ通信装置Ｂ３ｂに伝送する。
【００７３】
一方、データ通信装置Ａ３ａからの配信要求を受けたデータ通信装置Ｂ３ｂは、上記データ通信装置Ａ３ａと同様の検出処理を行い、管理領域５ｂ内に第３の非接触識別タグ４ｃが存在しないことを確認して、配信要求を、当該配信要求に含まれる伝送順番情報に基づき第２のデータ通信部３０を介してデータ通信装置Ｃ３ｃに伝送する。
【００７４】
そして、データ通信装置Ｂ３ｂからの配信要求を受けたデータ通信装置Ｃ３ｃは、上記データ通信装置Ｂ３ｂと同様の検出処理を行い、管理領域５ｃ内の第３の非接触識別タグ４ｃを検出し、その旨を配信用情報伝送処理部３３に通知する。この通知を受けた配信用情報伝送処理部３３は、配信要求から配信するメッセージ情報を抽出し、近距離無線通信部３２を介して、第３の非接触識別タグ４ｃにメッセージを伝送する。更に、上記第１の例と同様に、このメッセージ伝送に伴い、通知部３５では、音声メッセージにより、例えば、「Ｙさんにメッセージが届いています」などのメッセージを伝送した旨の通知を行う。なお更に、配信用情報伝送処理部３３は、配信要求に含まれる送信元情報処理端末ＩＤに基づき、配信要求の処理を完了した情報を、第２のデータ通信部３０を介して配信要求の送信元である情報処理端末Ａ２ａに伝送する。
【００７５】
そして、第３の非接触識別タグ４ｃでは、データ受信部４０を介してメッセージを受信すると、このメッセージをデータ制御部４２を介して配信用情報表示処理部４４に伝送する。
配信用情報表示処理部４４は、メッセージを受け取ると、このメッセージ情報に応じた表示スタイルで当該メッセージを電気泳動式表示装置４５に表示する処理を行う。従って、Ｙさんは、上記通知部３５による音声メッセージの通知に応じて非接触識別タグにある電気泳動式表示装置４５の表示部を見ることで、そこに、「課長が呼んでいるのですぐ戻れ」といったメッセージが表示されていることを知ることになる。
【００７６】
更に、部署Ｃの社員Ｚが、第６及び第７の非接触識別タグ４ｆ及び４ｇを所持する社員Ｆ及びＧに対して、会議の開始時間のメッセージを伝送する第３の例を説明する。
社員Ｚは、まず、部署内に配設された情報処理端末Ｃ２ｃの配信用情報設定部２０において、配信するメッセージを設定する。ここで、予め用意された選択リストにメッセージに適切なものがない場合は、図示しない付属のキーボードによりメッセージを手入力することになる。
【００７７】
次に、配信先の第６及び第７の非接触識別タグ４ｆ及び４ｇの所持者である社員Ｆ及びＧを配信先選択リストから選択する。ここでは、社員Ｆと第６の非接触識別タグ４ｆ及び社員Ｇと第７の非接触識別タグ４ｇとは対応付けれらているので、リストから社員Ｆ及びＧの名前をそれぞれ選択することにより、第６及び第７の非接触識別タグ４ｆ及び４ｇに設定されたＩＤ番号が選択され且つ設定されることになる。
【００７８】
更に、最初に配信要求を送信するデータ通信装置３として、領域リストから社内食堂（データ通信装置Ｃ３ｃ）を選択する。
なお更に、配信処理を委託する場合の配信要求の伝送順番を決定する。なお、伝送順番の決定は、配信用情報設定部２０に任せ（ランダムに設定）、ここでは、「データ通信装置Ｂ３ｂ→データ通信装置Ａ３ａ」の順に決定されたこととする。
【００７９】
そして、配信要求生成部２１では、これら設定された配信メッセージ、配信先ＩＤ番号、最初に配信要求を伝送するデータ通信装置３の情報及びその後の伝送順番情報に基づきデータ通信装置に対する配信要求を生成する。この場合、配信先の非接触識別タグのＩＤ番号が２つあることになる。生成された配信要求は、選択されたデータ通信装置に対して第１のデータ通信部２２を介して伝送されることになる。つまり、最初にデータ通信装置Ｃ３ｃに配信要求が伝送されることとなる。
【００８０】
データ通信装置Ｃ３ｃは、情報処理端末Ｃ２ｃからの配信要求を第２のデータ通信部３０を介して取得すると、まずこれを非接触識別タグ検出部３１及び配信用情報伝送処理部３３に伝送する。非接触識別タグ検出部３１では、取得した配信要求を解析し、配信先の非接触識別タグのＩＤ番号を抽出する。そして、近距離無線通信部３２を介して、管理領域５ｃ内に存在する非接触識別タグの全てに対して応答要求を送信する。ここで、管理領域５ｃ内には、図１に示すように、第３の非接触識別タグ４ｃ及び第６の非接触識別タグ４ｆの２つが存在するので、第６の非接触識別タグ４ｆのみから応答が返ってくることになる。従って、非接触識別タグ検出部３１では、先程抽出したＩＤ番号と、前記応答に含まれるＩＤ番号とを照合して、配信先のＩＤ番号の非接触識別タグが存在するか否かを判定（上記同様、間違いが無いかを確認）する。
【００８１】
ここでは、配信先である第６の非接触識別タグ４ｆの存在が確認されるので、非接触識別タグ検出部３１は、その旨を配信用情報伝送処理部３３に通知する。この通知を受けた配信用情報伝送処理部３３は、配信要求から配信するメッセージ情報を抽出し、近距離無線通信部３２を介して、第６の非接触識別タグ４ｆにメッセージを伝送する。
【００８２】
このメッセージ伝送に伴い、通知部３５では、音声メッセージにより、例えば、「Ｆさんにメッセージが届いています」などのメッセージを伝送した旨の通知を行う。
更に、非接触識別タグ検出部３１では、配信要求にある配信先の全てにメッセージが伝送されたか否かを判定する。ここでは、もう一つの配信先である第７の非接触識別タグ４ｇが残っているので、その旨を情報配信委託部３４に通知する。この通知を受けた情報配信委託部３４は、まず、配信要求から、既にメッセージを伝送した第６の非接触識別タグ４ｆのＩＤ番号を除外する。そして、前記除外後の配信要求を、この配信要求に含まれる伝送順番に基づき、第２のデータ通信部３０を介して、次の伝送先であるデータ通信装置Ｂ３ｂに伝送する。
【００８３】
そして、データ通信装置Ｃ３ｃからの配信要求を受けたデータ通信装置Ｂ３ｂは、上記同様の検出処理を行い、管理領域５ｂ内に第７の非接触識別タグ４ｇが存在しないことを確認して、配信要求を、当該配信要求に含まれる伝送順番情報に基づき第２のデータ通信部３０を介して次の伝送先であるデータ通信装置Ａ３ａに伝送する。
【００８４】
そして、データ通信装置Ｂ３ｂからの配信要求を受けたデータ通信装置Ａ３ａは、上記データ通信装置Ｂ３ｂと同様の検出処理を行い、管理領域５ａ内の第７の非接触識別タグ４ｇを検出し、その旨を配信用情報伝送処理部３３に通知する。この通知を受けた配信用情報伝送処理部３３は、配信要求から配信するメッセージ情報を抽出し、近距離無線通信部３２を介して、第３の非接触識別タグ４ｃにメッセージを伝送する。更に、上記第１及び第２のの例と同様に、このメッセージ伝送に伴い、通知部３５では、音声メッセージにより、例えば、「Ｙさんにメッセージが届いています」などのメッセージを伝送した旨の通知を行う。なお更に、配信用情報伝送処理部３３は、配信要求に含まれる送信元情報処理端末ＩＤに基づき、配信要求の処理を完了した旨を示す情報を、第２のデータ通信部３０を介して配信要求の送信元である情報処理端末Ａ２ａに伝送する。
【００８５】
そして、第３の非接触識別タグ４ｃでは、データ受信部４０を介してメッセージを受信すると、このメッセージをデータ制御部４２を介して配信用情報表示処理部４４に伝送する。
配信用情報表示処理部４４は、メッセージを受け取ると、このメッセージ情報に応じた表示スタイルで当該メッセージを電気泳動式表示装置４５に表示する処理を行う。従って、Ｙさんは、上記通知部３５による音声メッセージの通知に応じて非接触識別タグにある電気泳動式表示装置４５の表示部を見ることで、そこに「課長が呼んでいるのですぐ戻れ」といったメッセージが表示されていることを知ることになる。
【００８６】
ここで、本実施の形態においては、システム内にあるデータ通信装置Ａ３ａ〜データ通信装置Ｃ３ｃの各管理領域において配信先の非接触識別タグの存在が検出されなかったときは、最初に配信要求を伝送したデータ通信装置から、その配信要求に含まれる送信先ＩＤの伝送順番情報に基づき、再度、管理領域内の非接触識別タグの検出処理を順番に行うようになっている。そして、この再検出処理を行った結果、配信先の非接触識別タグが検出されたときは、当該非接触識別タグに対して上記同様にメッセージの伝送処理を行う。もし、この再検出処理を所定回数行ったにも関わらず、配信先の非接触識別タグが見つからなかったときは、配信用情報伝送処理部３３は、配信要求に含まれる送信元情報処理端末ＩＤに基づき、その旨を示す通知を送信元の情報処理端末２に伝送する。
【００８７】
更に、配信要求に配信用情報を含めない場合のデータ通信装置３の動作を第４の例として説明する。上記第１の例と同様、部署Ａの社員Ｘが、第３の非接触識別タグ４ｃを有する社員Ｙに対して、課長からのメッセージを伝送する場合を説明する。
社員Ｘは、まず、部署内に配設された情報処理端末Ａ２ａの配信用情報設定部２０において、配信するメッセージを設定する。ここで、予め用意された選択リストにメッセージとして適切なものがない場合は、図示しない付属のキーボードによりメッセージを手入力することになる。例えば、「課長が呼んでいるのですぐ戻れ」などのメッセージを入力して、これを設定する。
【００８８】
次に、配信先の第３の非接触識別タグ４ｃの所持者である社員Ｙを配信先選択リストから選択する。ここでは、社員Ｙと第３の非接触識別タグ４ｃとは対応付けれらているので、リストから社員Ｙの名前を選択することにより、第３の非接触識別タグ４ｃに設定されたＩＤ番号が選択され且つ設定されることになる。
更に、最初に配信要求を送信するデータ通信装置３を、当該データ通信装置３に対応付けられた領域リストの中から選択する。
【００８９】
なお更に、配信処理を委託する場合の配信要求の伝送順番を決定する。
そして、配信要求生成部２１では、これら設定された配信メッセージ、配信先ＩＤ番号、最初に配信要求を伝送するデータ通信装置３の情報及びその後の伝送順番情報に基づきデータ通信装置に対する配信要求を生成する。
ここでは、システム利用者が、最初に配信要求を伝送するデータ通信装置３として社内食堂（データ通信装置Ｃ３ｃ）を任意に選択し、その後の伝送順番として、「データ通信装置Ｂ３ｂ→データ通信装置Ａ３ａ」を任意に選択したこととする。従って、生成された配信要求は、最初にデータ通信装置Ｃ３ｃに対して、第１のデータ通信部２２を介して伝送されることになる。
【００９０】
データ通信装置Ｃ３ｃは、情報処理端末Ａ２ａからの配信要求を第２のデータ通信部３０を介して取得すると、まず、これを非接触識別タグ検出部３１及び配信用情報伝送処理部３３に伝送する。非接触識別タグ検出部３１では、取得した配信要求を解析し、配信先の非接触識別タグのＩＤ番号を抽出する。そして、近距離無線通信部３２を介して、管理領域５ｃ内に存在する非接触識別タグの全てに対して応答要求を送信する。ここで、管理領域５ｃ内には、図１に示すように、第３の非接触識別タグ４ｃ及び第６の非接触識別タグ４ｆの２つが存在する。
【００９１】
ここで、本実施の形態においては、応答要求に、配信先の非接触識別タグのＩＤ番号を含ませることで、そのＩＤ番号に合致しない非接触識別タグには、この応答要求に対して応答を行わせない構成となっている。非接触識別タグ検出部３１は、非接触識別タグからの応答があった場合に、先程抽出したＩＤ番号と、当該応答に含まれるＩＤ番号とを照合して、配信先のＩＤ番号の非接触識別タグが存在するか否かを判定する（間違いないかを確認する）。
【００９２】
この応答を受信すると、非接触識別タグ検出部３１では、先程抽出したＩＤ番号と、前記応答に含まれるＩＤ番号とを照合して、配信先のＩＤ番号の非接触識別タグが存在するか否かを判定する。
ここでは、配信先である第３の非接触識別タグ４ｃの存在が確認されたので、非接触識別タグ検出部３１は、その旨を配信用情報伝送処理部３３に通知する。この通知を受けた配信用情報伝送処理部３３は、配信要求に含まれる送信元情報処理端末ＩＤに基づき送信元である情報処理端末Ａ２ａに対して配信するメッセージ情報の伝送を第２のデータ通信部３０を介して要求する。この要求に応じて、情報処理端末Ａ２ａは、メッセージ情報をデータ通信装置Ｃ３ｃに伝送する。このメッセージ情報を、第２のデータ通信部３０を介して取得した配信用情報伝送処理部３３は、近距離無線通信部３２を介して、第３の非接触識別タグ４ｃにメッセージを伝送する。つまり、第４の例においては、データ通信装置３は、管理領域内に配信要求先の非接触識別タグ４が検出されたときに、情報処理端末から配信用情報を取得して伝送する。
【００９３】
更に、上記第１〜第３の例と同様に、メッセージの伝送に伴い、通知部３５では、音声メッセージにより、例えば、「Ｙさんにメッセージが届いています」などのメッセージを伝送した旨の通知を行う。そして、非接触識別タグ検出部３１では、配信要求にある配信先の全てにメッセージが伝送されたか否かを判定する。ここでは、配信先として第３の非接触識別タグ４ｃのＩＤ番号のみが含まれており、この非接触識別タグ４ｃにはメッセージが伝送されたので、配信用情報伝送処理部３３は、配信要求に含まれる送信元情報処理端末ＩＤに基づき、配信要求の処理を完了した旨を示す情報を、第２のデータ通信部３０を介して配信要求の送信元である情報処理端末Ａ２ａに伝送する。なお更に、配信用情報伝送処理部３３は、配信要求に含まれる送信元情報処理端末ＩＤに基づき、配信要求の処理を完了した旨を示す情報を、第２のデータ通信部３０を介して配信要求の送信元である情報処理端末Ａ２ａに伝送する。
【００９４】
更に、図５に基づき、情報処理端末２の動作処理の流れを説明する。図５は、情報処理端末２の動作処理を示すフローチャートである。
図５に示すように、まずステップＳ５００に移行し、配信用情報設定部２０において、上記したように配信用情報が設定されたか否かを判定し、設定されたと判定された場合（Ｙｅｓ）はステップＳ５０２に移行し、そうでない場合（Ｎｏ）は設定されるまで待機する。
【００９５】
ステップＳ５０２に移行した場合は、配信要求生成部２１において、設定された配信情報、配信先ＩＤ番号、最初に配信要求を伝送するデータ通信装置３の情報及びその後の伝送順番情報に基づき、配信要求を生成してステップＳ５０４に移行する。
ステップＳ５０４では、配信要求に含まれる送信先ＩＤの最初に配信要求を伝送するデータ通信装置３の情報に基づき最初に送信するデータ通信装置３を選択してステップＳ５０６に移行する。
【００９６】
ステップＳ５０６では、第１のデータ通信部２２によって、生成された配信要求を選択されたデータ通信装置３に伝送してステップＳ５００に移行する。
更に、図６に基づき、データ通信装置３の動作処理の流れを説明する。図６は、データ通信装置３の動作処理を示すフローチャートである。
図６に示すように、まずステップＳ６００に移行し、第２のデータ通信部３０によって配信要求を受信したか否かを判定し、受信したと判定された場合（Ｙｅｓ）はステップＳ６０２に移行し、そうでない場合（Ｎｏ）は受信するまで待機する。
【００９７】
ステップＳ６０２に移行した場合は、非接触識別タグ検出部３１によって、受信した配信要求を解析してステップＳ６０４に移行する。ここで、配信要求を解析することによって、送信元情報処理端末ＩＤ、送信先ＩＤ、配信情報、配信先ＩＤ等の各情報が抽出される。
ステップＳ６０４では、非接触識別タグ検出部３１において、上記したように管理領域内に存在する非接触識別タグのＩＤ番号を検出する処理を行いステップＳ６０６に移行する。
【００９８】
ステップＳ６０６では、配信要求に含まれるＩＤ番号を有した非接触識別タグが検出されたか否かを判定し、検出されたと判定された場合（Ｙｅｓ）はその旨を配信用情報伝送処理部３３に通知しステップＳ６０８に移行し、そうでない場合（Ｎｏ）はその旨を情報配信委託部３４に通知してステップＳ６１６に移行する。
ステップＳ６０８に移行した場合は、配信用情報伝送処理部３３において、配信先の非接触識別タグ４に対して、近距離無線通信部３２を介して配信用情報を伝送してステップＳ６１０に移行する。
【００９９】
ステップＳ６１０では、通知部３５によって、配信情報を管理領域内の配信先の非接触識別タグ４に伝送したことを音声メッセージ等により通知してステップＳ６１２に移行する。
ステップＳ６１２では、非接触識別タグ検出部３１において、配信要求に含まれるＩＤ番号の非接触識別タグ４が全て検出されたか否かを判定し、検出されたと判定された場合（Ｙｅｓ）はステップＳ６１４に移行し、そうでない場合（Ｎｏ）はその旨を情報配信委託部３４に通知してステップＳ６１６に移行する。
【０１００】
ステップＳ６１４に移行した場合は、配信要求に含まれる送信元情報処理端末ＩＤに基づき、配信処理が完了したことを示す旨の情報を、第２のデータ通信部３０を介して送信元の情報処理端末２に伝送してステップＳ６００に移行する。
一方、ステップＳ６１６に移行した場合は、情報配信委託部３４において、配信要求に含まれる送信先ＩＤに基づき、自装置が最初に選択されたデータ通信装置であるか否かを判定し、最初に選択されたデータ通信装置であると判定された場合（Ｙｅｓ）はステップＳ６１８に移行し、そうでない場合（Ｎｏ）はステップＳ６２４に移行する。
【０１０１】
ステップＳ６１８では、情報配信委託部３４において、配信要求に含まれる送信元情報処理端末ＩＤに基づき、該当する再送カウント値が所定数（例えば３）か否かを判定し、所定数であると判定された場合（Ｙｅｓ）はステップＳ６２０に移行し、そうでない場合（Ｎｏ）はステップＳ６２２に移行する。
ステップＳ６２０に移行した場合は、情報配信委託部３４において、配信要求に含まれる配信先ＩＤに該当する非接触識別タグは、システム内のデータ通信装置３の管理する管理領域内に存在しないと判断し、配信要求に含まれる送信元情報処理端末ＩＤに基づき、その旨を示す情報を、第２のデータ通信部３０を介して送信元の情報処理端末２に伝送し、且つ、該当する再送カウント値を０にクリアしてステップＳ６００に移行する。
【０１０２】
ステップＳ６２２に移行した場合は、再送カウントに１をプラスしてステップＳ６２２に移行する。ここで、再送カウントは、システム内において伝送先として設定されたデータ通信装置全てに配信要求を伝送したにもかかわらず、見つからない配信先の非接触識別タグがあった場合に、上記再検出処理を行った回数を示すレジスタ値である。
【０１０３】
一方、ステップＳ６２４に移行した場合は、情報配信委託部３４において、配信要求に含まれる送信先ＩＤの伝送順番情報に基づき、配信要求を他のデータ通信装置に第２のデータ通信部３０を介して伝送する処理を行いステップＳ６００に移行する。ここで、情報配信委託部３４では、非接触識別タグ検出部３１の検出結果に基づき、上記したように配信情報を配信済みの非接触識別タグのＩＤ番号が配信要求に含まれているときは、これを配信要求から除外して、他のデータ通信装置に伝送するようになっている。
【０１０４】
更に、図７に基づき、非接触識別タグ４の動作処理の流れを説明する。図７は、非接触識別タグ４の動作処理を示すフローチャートである。
図７に示すように、まずステップＳ７００に移行し、データ制御部４２において、データ受信部４０を介して応答要求を受信したか否かを判定し、受信したと判定された場合（Ｙｅｓ）はステップＳ７０２に移行し、そうでない場合（Ｎｏ）は受信するまで待機する。
【０１０５】
ステップＳ７０２に移行した場合は、データ制御部４２において、受信した応答要求を解析し、自己のＩＤ番号が配信先として含まれているか否かを判定し、含まれていると判定された場合（Ｙｅｓ）はステップＳ７０４に移行し、そうでない場合（Ｎｏ）は当該応答要求に応答せずにステップＳ７００に移行する。
ステップＳ７０４に移行した場合は、データ制御部４２において、データ記憶部４３に記憶された自己のＩＤ番号を読み出し、このＩＤ番号を含む応答情報を生成して、これをデータ送信部４１を介してデータ通信装置に伝送してステップＳ７０６に移行する。
【０１０６】
ステップＳ７０６では、データ制御部４２において、データ通信装置から配信用情報を受信したか否かを判定し、受信したと判定された場合（Ｙｅｓ）はステップＳ７０８に移行し、そうでない場合（Ｎｏ）はステップＳ７１０に移行する。
ステップＳ７０８に移行した場合は、配信用情報表示処理部４４において、取得した配信用情報を電気泳動式表示装置４５に表示する処理を行いステップＳ７００に移行する。
【０１０７】
一方、ステップＳ７１０に移行した場合は、所定時間が経過したか否かを判定し、経過したと判定された場合（Ｙｅｓ）はステップＳ７００に移行し、そうでない場合はステップＳ７０６に移行する。
以上、情報処理端末２によって、データ通信装置３の管理領域内に存在する特定の非接触識別タグ４に対して、配信用情報設定部２０において設定した配信用情報を伝送することが可能である。
【０１０８】
また、１つのデータ通信装置３の管理領域内において、配信先の非接触識別タグ４が検出されなかったときは、情報配信委託部３４によって、他のデータ通信装置３に対して、その配信要求の配信処理を委託することが可能である。
また、非接触識別タグ４では、取得した配信用情報を配信用情報表示処理部４４によって、電気泳動式表示装置４５に表示するようにしたので、情報の表示に必要な電力を低減することが可能である。
【０１０９】
ここで、図１に示す、インターネット６は、第１及び第２の発明に記載の所定の通信回線に対応し、図２に示す、配信用情報設定部２０は、第１、第２及び第５の発明に記載の配信用情報設定手段に対応し、配信要求生成部２１及び第１のデータ通信部２２による配信要求の生成及び伝送処理は、第１、第２、第５、第６及び第７の発明に記載の第１の伝送手段に対応し、図３に示す、第２のデータ通信部３０による配信用情報の取得処理は、第１〜第３及び第６〜第８の発明に記載の第１の配信用情報取得手段に対応し、非接触識別タグ検出部３１は、第１〜第３及び第６〜第８の発明に記載の非接触識別タグ検出手段に対応し、配信用情報伝送処理部３３及び近距離無線通信部３２による配信用情報の伝送処理は、第１、第２、第６及び第７の発明に記載の第２の伝送手段に対応し、情報配信委託部３４は、第２、第３、第７及び第８の発明に記載の情報配信委託手段に対応し、通知部３５は、第４及び第９の発明に記載の通知手段に対応し、図４に示す、データ受信部４０及びデータ制御部４２による配信情報の取得処理は、第１、第２及び第１０の発明に記載の第２の配信用情報取得手段に対応し、配信用情報表示処理部４４及び電気泳動式表示装置４５による配信情報の表示処理は、第１、第２及び第１０の発明に記載の配信用情報表示手段に対応する。
【０１１０】
なお、上記実施の形態においては、インターネット６によって、情報処理端末２とデータ通信装置３との間のデータ通信、又は、データ通信装置３同士のデータ通信を行うようにしているが、これに限らず、専用の回線や、無線通信回線など、他の通信回線を用いて行うようにしても良い。
また、上記実施の形態においては、１つの会社の建物内において、本システムを利用しているが、これに限らず、例えば、東京本社と大阪支社とに本システムを適用して、東京本社の情報処理端末２から、大阪支社のデータ通信装置３に対して、配信要求を伝送し、大阪支社の非接触識別タグ４に配信用情報を伝送するなど、広範囲において本システムを利用しても良い。
【０１１１】
また、上記実施の形態においては、会社内において本発明を適用する例を説明したが、これに限らず、本発明を遊園地に適用して非接触識別タグをパスポートとして利用したり、また、本発明をレストラン等のサービス業において適用し、客に対する予約時間の通知等に利用するなど、本発明の趣旨を逸脱しない範囲で、様々な分野への適用が可能である。
【０１１２】
また、上記実施の形態においては、最初に配信要求の送信先として選択されたデータ通信装置３において、自己の管理用域内に配信先の非接触識別タグが検出されず、情報配信委託部３４において、配信要求に含まれる送信先ＩＤの伝送順番に基づき、次の順番のデータ通信装置３（一台）に配信要求を伝送して配信処理を委託するようにしているが、これに限らず、配信要求の送信先として選択された全てのデータ通信装置３（複数台）に配信要求を同時に送信するようにしても良い。
【０１１３】
また、上記実施の形態においては、配信先の非接触識別タグの上記再検出処理を再送カウント値によって、再送回数により制御しているが、これに限らず、タイマーにより時間経過を計測し、当該経過時間によって制御するようにしても良い。
また、上記実施の形態においては、情報処理端末２とデータ通信装置３との通信をインターネットを利用して行っているが、これに限らず、近距離無線通信等を利用したネットワークなど、他のネットワークを利用して行うようにしても良い。
【図面の簡単な説明】
【図１】本発明に係る情報配信システムの概略構成を示す図である。
【図２】情報処理端末Ａ２ａの構成を示すブロック図である。
【図３】データ通信装置Ａ３ａの構成を示すブロック図である。
【図４】第１の非接触識別タグ４ａの構成を示すブロック図である。
【図５】情報処理端末２の動作処理を示すフローチャートである。
【図６】データ通信装置３の動作処理を示すフローチャートである。
【図７】非接触識別タグ４の動作処理を示すフローチャートである。
【符号の説明】
１…情報配信システム、２…情報処理端末、３…データ通信装置、４…非接触識別タグ、５ａ〜５ｃ…管理領域、６…インターネット、２０…配信用情報設定部、２１…配信要求生成部、２２…第１のデータ通信部、３０…第２のデータ通信部、３１…非接触識別タグ検出部、３２…近距離無線通信部、３３…配信用情報伝送処理部、３４…情報配信委託部、３５…通知部、４０…データ受信部、４１…データ送信部、４２…データ制御部、４３…データ記憶部、４４…配信用情報表示処理部、４５…電気泳動式表示装置、４６…電源生成部
【図１】
2004246492.tif 000003
【図２】
2004246492.tif 000004
【図３】
2004246492.tif 000005
【図４】
2004246492.tif 000006
【図５】
2004246492.tif 000007
【図６】
2004246492.tif 000008
【図７】
2004246492.tif 000009